(57)【要約】【課題】プレーヤーが自らシャフトのヘッドへの挿入角度を変更可能なゴルフクラブのヘッド構造を提供する。【解決手段】ヘッド本体１にはシャフトスリーブ挿入孔４が一体に設けられ、シャフトスリーブ挿入孔４は、シャフトスリーブ係合部１５及び締め付け段部１４を有し、シャフトスリーブ係合部１５には複数の円形凹状の係止部１５１が設けられ、下方に当接端面１５２を有する。シャフトスリーブ２の外径に対して内径の中心軸は、角度Ａの偏りになるように設けられ、外径には、係止部１５１及び当接端面１５２に対応する複数の円形状に突出した突縁部２１１及び当接部２１２を設けて、係止部１５１と噛合することができ、シャフトスリーブ２の底部に設けられた締め付け構造２３１によって、締め付けネジ３を用いて締め付け段部１４を通じてシャフトスリーブ２をヘッド本体１に締め付け固定できる。【選択図】図２
0003181471.tif 000002
【実用新案登録請求の範囲】
【請求項１】
ヘッド本体と、シャフトスリーブと、締め付けネジとを備えたシャフトのヘッドへの挿入角度変更可能なゴルフクラブのヘッド構造であって、
前記ヘッド本体には、シャフトスリーブ挿入孔が一体に設けられ、該シャフトスリーブ挿入孔には、シャフトスリーブ係合部及び締め付け段部が設けられ、該シャフトスリーブ係合部の内周縁に複数の同一寸法を持つ円形凹状の係止部が設けられると共に、その下方に当接端面が形成され、
前記シャフトは、中空状を成し、前記シャフトの内径は外径に対して中心軸を偏って設けられ、その外径には前記係止部及び当接端面にそれぞれ対応する複数の同一寸法を有する円形状に突出した突縁部及び当接部を設けることによって、前記シャフトスリーブ係合部の円形凹状の係止部と噛合することができ、かつ、
前記シャフトスリーブの底部に設けられた締め付構造によって、前記締め付けネジを利用して前記締め付け段部を通じて前記シャフトスリーブを前記ヘッド本体に締め付けて固定できることを特徴とするシャフトのヘッドへの挿入角度変更可能なゴルフクラブのヘッド構造。
【請求項２】
前記円形凹状の係止部を二つ以上備えることを特徴とする請求項１記載のシャフトのヘッドへの挿入角度変更可能なゴルフクラブのヘッド構造。
【請求項３】
前記円形状に突出した突縁部を二つ以上備えることを特徴とする請求項１記載のシャフトのヘッドへの挿入角度変更可能なゴルフクラブのヘッド構造。
【請求項４】
前記円形凹状の係止部と前記円形状に突出した突縁部とは互いに対称に合わさることを特徴とする請求項１または請求項２に記載のシャフトのヘッドへの挿入角度変更可能なゴルフクラブのヘッド構造。
【考案の詳細な説明】
【技術分野】
【０００１】
本考案は、プレーヤーがヘッドとシャフトの着脱を行い、さらにはシャフトのヘッドへの挿入角度を自分の好みに応じて変更できるゴルフクラブのヘッド構造に関する。
【背景技術】
【０００２】
ゴルフのプレーヤーにとって、自分のスイングタイプに合ったゴルフクラブを選択して使用することは、良い結果を得るために非常に重要な要素である。近年はさまざまな計測機器が開発され、販売店などでプレーヤーのスイングや弾道を分析して、最適なゴルフクラブを選択できるようになってきており、プレーヤーはクラブメーカーが用意した様々な種類の中から、自分に適した特性のゴルフクラブを選択して購入できるようになってきている。しかし、プレーヤーのスイングや好みは常に一定ではなく、プレーヤーが購入時に選択したクラブがその後も引き続き最適で有り続けるとは限らず、場合によっては再調整が必要になるケースもある。また、従来のゴルフクラブの構造では、シャフトの交換や角度の調整などは一般のプレーヤーが自身で行うことは難しく、通常は専門の技術を持った作業者のいる工房などに委託して調整しなければならず、プレーヤー自身が気軽に自分に合ったシャフトや角度を実際に試打しながら調整することはできなかった。そこで、ゴルフクラブメーカーは、プレーヤー自身が自分でシャフトを取換えられる機能を持つようなゴルフクラブを積極的に開発している。例えば、米国特許第７０８３５２９号明細書のようなシャフトの取換え機能を有するゴルフクラブは、シャフトの取換可能な構造を利用してシャフトをプレーヤー自身で簡単に素早く取り換えることが掲載される。しかし、プレーヤーにとって、インパクト時のフェース角度や弾道に影響を与える「シャフトのヘッドへの挿入角度」を自分のスイングに合わせて最適に調整するという要求には充分に応えられていない。
【先行技術文献】
【特許文献】
【０００３】
【特許文献１】米国特許第７０８３５２９号明細書
【考案の概要】
【考案が解決しようとする課題】
【０００４】
従来のシャフトとヘッドを着脱できる構成だけでは、プレーヤーの各々のスイングタイプや好みの弾道などに応じた最適なゴルフクラブを得ることが難しく、より細かく、インパクト時のヘッドの角度（シャフトのヘッドへの挿入角度）をプレーヤー自身が自在に調整可能なゴルフクラブが必要とされる。
【課題を解決するための手段】
【０００５】
本考案は、上述の要求に応じて、プレーヤーが自らシャフトのヘッドへの挿入角度を変更可能なゴルフクラブのヘッド構造を提供する。
【０００６】
前記ヘッド構造は、クラブヘッド本体、シャフトスリーブ及び締め付けネジを備える。
【０００７】
前記クラブヘッド本体はシャフトスリーブの挿入孔が一体に設けられ、該シャフトスリーブ挿入孔内にシャフトスリーブ係合部および締め付け段差が設けられ、シャフトスリーブ係合部は複数の同一寸法を有する円形状に凹んだ係止部及び当接端面が設けられる。該シャフトスリーブは、外径及び内径を有し、その内径が外径に対して傾角になるように中心軸を傾けさせ、また外径上に複数の同一寸法を有する円形状に突出した突縁部及び当接部を設けることで、シャフトスリーブ係合部の円形状に凹んだ係止部と噛合する。また、シャフトスリーブの底部に締め付け構造を設け、係止部と突縁部との複数の位置への移動により角度を変更して定位される。最後に、締め付けネジを用いて締め付け段差を通じてシャフトスリーブをクラブヘッド本体に固定させる。
【考案の効果】
【０００８】
この機能により、プレーヤーはシャフトを自在に取り換えられると共に、素早くシャフトのクラブヘッドへの挿入角度の調整をしてプレーヤーに最適なシャフトのヘッドへの挿入角度を得ることができる。
【図面の簡単な説明】
【０００９】
【図１】本考案のゴルフクラブのヘッド構造の立体分解図である。
【図２】本考案のゴルフクラブのヘッド構造の説明図である。（Ａ）は取付ける前の斜め上面図であり、（Ｂ）は（Ａ）に示すゴルフクラブのヘッド構造のＡ−Ａ断面図の一部である。
【図３】本考案のゴルフクラブのヘッド構造の説明図である。（Ａ）は取付けた後の斜め上面図であり、（Ｂ）は（Ａ）に示すゴルフクラブのヘッド構造のＢ−Ｂ断面図の一部である。
【図４】本考案のシャフトスリーブの構造の説明図である。（Ａ）は立体図であり、（Ｂ）は（Ａ）に示すシャフトスリーブのＣ−Ｃ断面図である。
【図５】図１に示すシャフトスリーブ係合部の内部構造の一部立体図である。
【考案を実施するための形態】
【００１０】
当考案の構造において、より好ましい実施例について図面を参照しながら以下のように説明する。
【００１１】
図１に示すように、本考案に関するシャフト着脱可能及びシャフトのヘッドへの挿入角度変更機構を備えたゴルフクラブのヘッド構造は、クラブヘッド本体１、シャフトスリーブ２及び締め付けネジ３を備える。ゴルフクラブのシャフトはその先端部分をシャフトスリーブ２に挿入され、接着などの方法で固定される。
【００１２】
図２（Ａ）、（Ｂ）は、それぞれ本考案のゴルフクラブのヘッド構造の取付ける前の斜め上面図、及びヘッド構造のＡ−Ａ断面図の一部を示す。
【００１３】
図２（Ｂ）に示すように、ヘッド本体１には、シャフトスリーブ挿入孔４が一体に設置され、また、シャフトスリーブ挿入孔４には第１の上孔径１２１、第２の上孔径１２２、下孔径１３及び第２の上孔径１２２と下孔径１３を連結する締め付け段部１４が設けられる。
【００１４】
また、第１の上孔径１２１上にシャフトスリーブ係合部１５を設け、シャフトスリーブ係合部１５の内周縁は、複数の同一寸法、例えば８つの同一寸法の円形状に凹んだ係止部１５１が設けられると共に、その下方に当接端面１５２を備える。
【００１５】
シャフトスリーブ２はシャフトを挿入して接合できるよう筒状を成し、それぞれ外径２１及び内径２２を有し、図４に示すように、シャフトスリーブの内径２２は、外径２１に対して傾角Ａになるように中心軸を傾けさせ、シャフトスリーブ２の一端面の厚さａは、他端面の厚さｂより大きくなるように設けられる。
【００１６】
また、シャフトスリーブ２の外径２１は、シャフトスリーブ係合部１５の係止部１５１及び当接端面１５２にそれぞれ対応する複数の同一寸法を有する円形状の突縁部２１１及び当接部２１２を設けることで、シャフトスリーブ係合部１５の円形状に凹んだ係止部１５１と噛合することができる。
【００１７】
さらに、シャフトスリーブ２の底部に設けられた締め付け構造２３１により、締め付けネジ３を利用して締め付け段部１４を介してシャフトスリーブ２をクラブヘッド本体１に固く締め付け固定できる。
【００１８】
このようなヘッド本体１の係止部１５１及びシャフトスリーブ２は、いずれもＣＮＣマシン等の精密切削機械により加工形成されたものであるため、非常に優れた噛合精度が得られる。
【００１９】
シャフトスリーブ２をヘッド本体１に設置するに際して、突縁部２１１を利用して係止部１５１に噛合させて当接部２１２を当接端面１５２に当接させることによって、シャフトスリーブ２をヘッド本体１のシャフトスリーブ挿入孔４に定位することができる。プレーヤーは、突縁部２１１と係止部１５１とを八種類の位置に合わせて周方向へ移動することによって、シャフトスリーブ２の前述の傾角Ａによりクラブヘッドは８種類の異なるシャフト挿入角度の組合せが得られ、位置決めして締め付けネジ３を利用して締め付け段部１４を介してシャフトスリーブ２をクラブヘッド本体１に固く締め付けて固定できる。
【００２０】
以上の実施例は、単に本考案を説明するためのもので、本考案を制限するものではないため、本考案にかかる全ての均等な変化、例えば前述の円形状に凹んだ係止部は８つと記載されているが、２つ以上であっても良い、または円形状に制限しないなど、何れも本考案の範疇に属するべきである。
【符号の説明】
【００２１】
１  クラブヘッド本体
２  シャフトスリーブ
３  締め付けネジ
４  シャフトスリーブ挿入孔
１３  下孔径
１４  締め付け段部
１５  シャフトスリーブ係合部
２１  外径
２２  内径
２３  下外径
１２１  第１の上孔径
１２２  第２の下孔径
１５１  係止部
１５２  当接端面
２１１  突縁部
２１２  当接部
２３１  締め付け構造
Ａ  傾角
【図１】
0003181471.tif 000003
【図２】
0003181471.tif 000004
【図３】
0003181471.tif 000005
【図４】
0003181471.tif 000006
【図５】
0003181471.tif 000007